(57)【特許請求の範囲】
【請求項１】
地中に構築されるトンネルの外周部分の地盤において、トンネルの延設方向に延設すると共に、弧状の断面に沿った方向に間隔を置いて並べて埋設された、複数のパイプルーフ材を互いに連結して、地盤からの荷重を一体として支持できるようにするパイプルーフの連結構造を設ける際に用いられ、隣接する各一対のパイプルーフ材の間隔部分の地盤を地盤改良することによって、所定の圧縮強度を有する耐圧支持地盤体を形成するパイプルーフにおける耐圧支持地盤体の形成方法であって、
前記パイプルーフの連結構造は、前記弧状の断面に沿った方向に隣接する各一対のパイプルーフ材に、両側の端部を各々固着して、これらのパイプルーフ材を互いに接続する連結接続鋼材と、隣接する各一対のパイプルーフ材の間隔部分に介在して設けられる耐圧支持地盤体と、を含んで構成されており、
前記連結接続鋼材は、軸方向に貫通して設けられた流体供給路を備えると共に、該流体供給路から外側に延設して吐出口を外周面に開口させた吐出流路を、軸方向に間隔をおいて複数箇所に備えており、
前記連結接続鋼材に、穿孔時に供給される穿孔水の水圧によっては外れず、地盤改良材を注入する際の注入圧力によって外れる接合強度で取り付けられた閉塞部材を、各々の前記吐出口を覆って取り付けた状態で、隣接する一方のパイプルーフ材から他方のパイプルーフ材に向けて、前記連結接続鋼材を自穿孔させて設置する工程と、しかる後に、前記流体供給路の一方の端部を閉塞して、他方の端部から改良地盤材を注入することで、前記閉塞部材を前記吐出口から取り外すと共に、地盤改良材を隣接する一対のパイプルーフ材の間隔部分の地盤に行き渡らせて、改良地盤を形成する工程とを含むパイプルーフにおける耐圧支持地盤体の形成方法。
【請求項２】
穿孔時に供給される穿孔水の水圧は、０．２〜０．３ＭＰａであり、地盤改良剤を注入する際の注入圧力は、０．５〜３．０ＭＰａである請求項１記載のパイプルーフにおける耐圧支持地盤体の形成方法。
【請求項３】
前記閉塞部材は、各々の前記吐出口を覆って前記連結接続鋼材の外周面に巻き付けられた、ビニールテープである請求項１又は２記載のパイプルーフにおける耐圧支持地盤体の形成方法。
【請求項４】
前記連結接続鋼材は、少なくともに両端部分に雄ねじ突条が形成された鋼棒からなり、パイプルーフ材の内部に設けられた締着台に、両側の端部を各々締着することによって、パイプルーフ材に固着される請求項１〜３の何れか１項記載のパイプルーフにおける耐圧支持地盤体の形成方法。
【請求項５】
前記パイプルーフ材は、円形の中空断面形状を有している請求項１〜４のいずれか１項記載のパイプルーフにおける耐圧支持地盤体の形成方法。
【請求項６】
前記複数のパイプルーフ材は、地中に構築されるトンネルの少なくとも上方部分の地盤において、前記弧状の断面に沿った方向に間隔を置いて並べて埋設されている請求項１〜５のいずれか１項記載のパイプルーフにおける耐圧支持地盤体の形成方法。
【請求項７】
前記複数のパイプルーフ材は、地中に構築されるトンネルの外周部分の地盤において、前記弧状の断面を含む円形の断面に沿った円周方向に、間隔を置いて全周に亘って並べて埋設されている請求項６記載のパイプルーフにおける耐圧支持地盤体の形成方法。
【発明の詳細な説明】
【技術分野】
【０００１】
本発明は、パイプルーフにおける耐圧支持地盤体の形成方法に関し、特に、トンネルの外周部分の地盤に埋設された複数のパイプルーフ材を互いに連結して、地盤からの荷重を一体として支持できるようにするパイプルーフの連結構造を設ける際に用いられるパイプルーフにおける耐圧支持地盤体の形成方法に関する。
【背景技術】
【０００２】
パイプルーフ工法は、地中にトンネルを構築する際に、地盤を掘削するのに先立って、構築されるトンネルの上方部分の地盤に鋼管等からなるパイプルーフ材を複数埋設して、地盤からの荷重を先受けするパイプルーフを形成することによって、後続して行われるトンネルの掘削作業を、より安定した状態で行えるようにする工法として公知のものである。
【０００３】
また、鋼管等からなるパイプルーフ材を用いたトンネルの構築方法として、トンネルの上方アーチ部の外周部分の地盤に、トンネルの延設方向に向けて、長尺材である鋼管（パイプルーフ材）を周方向に間隔を置いて複数本、押し込んだ後に、長尺材間を含むトンネルの外周を囲繞するようにして、地盤にセメント系固化材を充填し撹拌することで、断面視環状に地盤改良し、押し込んだ鋼管によって先受けさせながら、地盤改良された部分の内側の地盤を掘削して、トンネルを構築できるようする工法が開示されている（例えば、特許文献１）。特許文献１のトンネルの構築方法では、断面視環状の地盤改良部のアーチ効果によって、掘削による地盤の緩みを最小限にしつつ、地盤改良部の内側を掘削して、トンネルを構築することが可能になる。
【先行技術文献】
【特許文献】
【０００４】
【特許文献１】特許第５３０８１１６号公報
【発明の概要】
【発明が解決しようとする課題】
【０００５】
特許文献１のトンネルの構築方法では、トンネルの外周部分の地盤に鋼管（パープルーフ材）を押し込んだ後に、トンネルの外周を囲繞して断面視環状に地盤改良する工程では、例えば発進立坑及び到達立坑の両方又は一方の内部から、トンネルの延設方向に向けて、先端に拡幅改良装置が接続された推進管を、所定の延長で地中に押し込んだ後に、拡幅改良装置の先端から地盤改良材を吐出させて、周囲の土砂と共に撹拌させながら、推進管を徐々に引き抜く作業を繰り返すことによって、地盤改良部を形成するようになっている。
【０００６】
そして、特許文献１のトンネルの構築方法では、形成された地盤改良部によって所望のアーチ効果が得られるように、地盤改良部は、トンネルの外周部分の地盤に、断面視環状となるように周方向に隙間なく連続させて形成する必要があることから、先端に拡幅改良装置が接続された推進管を押し込んだり引き抜いたりする作業を、多数回繰り返し行わなければならない。このため、大量の地盤改良材を要することになると共に、施工コストが増大することになる。特に、トンネルの施工延長が長い場合には、精度良く推進管を押し込むことが困難なことから、地盤改良部を断面視環状に隙間なく連続させるには、より広い範囲に地盤改良部を形成する必要を生じて、施工コストがさらに増大することになる。
【０００７】
また、特許文献１のトンネルの構築方法では、トンネルの外周部分の地盤に押し込まれた複数の鋼管（パイプルーフ材）は、その大きな剛性によって、トンネルの延設方向の先受け支保工として機能して、地盤を掘削する際に、地山の安定性を向上させると共に、地山の変形を抑制することを可能にしているが、複数のパイプルーフ材は、トンネルの横断方向（断面方向）には、個々に分断された状態で埋設されているため、これらのパイプルーフ材を横断方向の支保工として機能させて、アーチ効果を発揮させることは困難である。
【０００８】
これに対して、本願出願人は、先に特願２０１５−５７８７８において、弧状の断面に沿った方向に隣接する各一対のパイプルーフ材に、両側の端部を各々固着して、連結接続鋼材によりこれらのパイプルーフ材を互いに接続すると共に、隣接する各一対のパイプルーフ材の間隔部分の地盤を地盤改良して、所定の圧縮強度を有する耐圧支持地盤体とすることにより、複数のパイプルーフ材を互いに連結し、地盤からの荷重を一体として支持できるようにすることで、アーチ効果を発揮することが可能なトンネルの横断方向の支保工を、地中に埋設された複数のパイプルーフ材を用いて、地盤改良材の使用量を抑制しつつ、簡易な施工方法によって、トンネルの外周部分の地盤に形成することを可能にするパイプルーフの連結構造を開示しているが、これに加えて、このようなパイプルーフの連結構造を設ける際に、隣接する各一対のパイプルーフ材の間隔部分に所定の圧縮強度を有する耐圧支持地盤体を地盤改良により形成するための、より簡易に実施することが可能な施工方法の開発が望まれている。
【０００９】
本発明は、複数のパイプルーフ材を互いに連結して、地盤からの荷重を一体として支持するパイプルーフの連結構造を設ける際に、隣接する各一対のパイプルーフ材の間隔部分の地盤を、より簡易な施工方法で地盤改良して、所定の圧縮強度を有する耐圧支持地盤体を形成することのできるパイプルーフにおける耐圧支持地盤体の形成方法を提供することを目的とする。
【課題を解決するための手段】
【００１０】
本発明は、地中に構築されるトンネルの外周部分の地盤において、トンネルの延設方向に延設すると共に、弧状の断面に沿った方向に間隔を置いて並べて埋設された、複数のパイプルーフ材を互いに連結して、地盤からの荷重を一体として支持できるようにするパイプルーフの連結構造を設ける際に用いられ、隣接する各一対のパイプルーフ材の間隔部分の地盤を地盤改良することによって、所定の圧縮強度を有する改良地盤による耐圧支持地盤体を形成するパイプルーフにおける耐圧支持地盤体の形成方法であって、前記パイプルーフの連結構造は、前記弧状の断面に沿った方向に隣接する各一対のパイプルーフ材に、両側の端部を各々固着して、これらのパイプルーフ材を互いに接続する連結接続鋼材と、隣接する各一対のパイプルーフ材の間隔部分に介在して設けられる、耐圧支持地盤体とを含んで構成されるようなっており、前記連結接続鋼材は、軸方向に貫通して設けられた流体供給路を備えると共に、該流体供給路から外側に延設して吐出口を外周面に開口させた吐出流路を、軸方向に間隔をおいて複数箇所に備えており、前記連結接続鋼材に、穿孔時に供給される穿孔水の水圧によっては外れず、地盤改良剤を注入する際の注入圧力によって外れる接合強度で取り付けられた閉塞部材を、各々の前記吐出口を覆って取り付けた状態で、隣接する一方のパイプルーフ材から他方のパイプルーフ材に向けて、前記連結接続鋼材を自穿孔させて設置する工程と、しかる後に、前記流体供給路の一方の端部を閉塞して、他方の端部から改良地盤材を注入することで、前記閉塞部材を前記吐出口から取り外すと共に、地盤改良材を隣接する一対のパイプルーフ材の間隔部分の地盤に行き渡らせて、改良地盤を形成する工程とを含むパイプルーフにおける耐圧支持地盤体の形成方法を提供することにより、上記目的を達成したものである。
【００１１】
そして、本発明のパイプルーフにおける耐圧支持地盤体の形成方法は、穿孔時に供給される穿孔水の水圧が、０．２〜０．３ＭＰａであり、地盤改良材を注入する際の注入圧力が、０．５〜３．０ＭＰａであることが好ましい。
【００１２】
また、本発明のパイプルーフにおける耐圧支持地盤体の形成方法は、前記閉塞部材が、各々の前記吐出口を覆って前記連結接続鋼材の外周面に巻き付けられた、ビニールテープであることが好ましい。
【００１３】
さらに、本発明のパイプルーフにおける耐圧支持地盤体の形成方法は、前記連結接続鋼材が、少なくともに両端部分に雄ねじ突条が形成された鋼棒からなり、パイプルーフ材の内部に設けられた締着台に、両側の端部を各々締着することによって、パイプルーフ材に固着されることが好ましい。
【００１４】
さらにまた、本発明のパイプルーフにおける耐圧支持地盤体の形成方法は、前記パイプルーフ材が、円形の中空断面形状を有していることが好ましい。
【００１５】
また、本発明のパイプルーフにおける耐圧支持地盤体の形成方法は、前記複数のパイプルーフ材が、地中に構築されるトンネルの少なくとも上方部分の地盤において、前記弧状の断面に沿った方向に間隔を置いて並べて埋設されていることが好ましい。
【００１６】
さらに、本発明のパイプルーフにおける耐圧支持地盤体の形成方法は、前記複数のパイプルーフ材が、地中に構築されるトンネルの外周部分の地盤において、前記弧状の断面を含む円形の断面に沿った円周方向に、間隔を置いて全周に亘って並べて埋設されていることが好ましい。
【発明の効果】
【００１７】
本発明のパイプルーフにおける耐圧支持地盤体の形成方法によれば、複数のパイプルーフ材を互いに連結して、地盤からの荷重を一体として支持するパイプルーフの連結構造を設ける際に、隣接する各一対のパイプルーフ材の間隔部分の地盤を地盤改良して、所定の圧縮強度を有する改良地盤による耐圧支持地盤体を、より簡易に形成することができる。
【図面の簡単な説明】
【００１８】
【図１】本発明の好ましい一実施形態に係る耐圧支持地盤体の形成方法を採用して形成されるパイプルーフの連結構造を説明する略示断面図である。
【図２】本発明の好ましい一実施形態に係る耐圧支持地盤体の形成方法を採用したトンネルの構築工法によって構築されるトンネルを説明する略示断面図である。
【図３】トンネルの構築工法の薬液注入工程を説明する略示斜視図である。
【図４】トンネルの構築工法の坑内立坑築造工程を説明する略示斜視図である。
【図５】トンネルの構築工法の坑内立坑築造工程を説明する、（ａ）は略示横断面図、（ｂ）は略示平断面図である。
【図６】トンネルの構築工法の円周シールド施工工程を説明する略示斜視図である。
【図７】（ａ）〜（ｃ）は、トンネルの構築方法の円周シールド施工工程を説明する略示横断面図である。
【図８】トンネルの構築工法のパイプルーフ施工工程を説明する略示斜視図である。
【図９】トンネルの構築工法のパイプルーフ施工工程を説明する略示横断面図である。
【図１０】本発明の好ましい一実施形態に係る耐圧支持地盤体の形成方法において用いられる連結接続鋼材を説明する、（ａ）は平面図、（ｂ）は（ａ）のＡ−Ａに沿った縦断面図、（ｃ）は（ａ）のＢ−Ｂに沿った横断面図、（ｄ）はビニールテープが取り付けられた状態の平面図である。
【図１１】トンネルの構築工法の褄部施工工程を説明する略示斜視図である。
【図１２】トンネルの構築工法の褄部施工工程を説明する、（ａ）は略示横断面図、（ｂ）は略示平断面図である。
【図１３】トンネルの構築工法の掘削及び覆工工程を説明する略示縦断面図である。
【図１４】トンネルの構築工法の掘削及び覆工工程を説明する略示横断面図である。
【図１５】（ａ）〜（ｊ）は、トンネルの構築工法の掘削及び覆工工程を説明する略示横断面図である。
【図１６】トンネルの構築工法の掘削及び覆工工程を説明する褄部の略示縦断面図である。
【発明を実施するための形態】
【００１９】
本発明の好ましい一実施形態に係るパイプルーフにおける耐圧支持地盤体１４（図１参照）の形成方法は、例えば地表面から４０ｍ以上の深さの区分地上権が不要な大深度地下に、例えば道路用の本線トンネル５１（図２参照）とランプトンネル５２とを接続させる、本線トンネル５１及びランプトンネル５２を囲うことが可能な例えば直径が２９ｍ程度の大きさの、図２に示すような大断面のインターチェンジ用の拡幅トンネル５０を構築するためのトンネル構築工法における、後述するパイプルーフ施工工程において、パイプルーフの連結構造１０を形成する際に採用されたものである。すなわち、本実施形態の耐圧支持地盤体１４の形成方法は、拡幅トンネル５０の地盤を掘削する掘削及び覆工工程（図１３参照）に先立って、後述するパイプルーフ施工工程（図８、図９参照）により拡幅トンネル５０の外周部分の地中に埋設された、複数のパイプルーフ材１１を互いに連結して、地盤からの荷重を一体として支持するパイプルーフの連結構造１０（図１参照）を設ける際に、隣接する各一対のパイプルーフ材１１の間隔部分の地盤を地盤改良して、所定の圧縮強度を有する改良地盤による耐圧支持地盤体１４を、より簡易に形成できるようにするための方法として採用されたものである。
【００２０】
そして、本実施形態では、拡幅トンネル５０を構築するためのトンネルの構築工法は、好ましくはシールド工法によって、例えば１６ｍ程度の直径の本線トンネル５１が地中に形成された後に、この本線トンネル５１から、拡幅トンネル５０の施工区間の両側の端部に坑内立坑２０を形成して（図４及び図５（ａ）、（ｂ）参照）、この坑内立坑２０を介して、後述する円周シールド坑３０（図６、図７（ａ）〜（ｃ）参照）やパイプルーフ１２（図８、図９参照）や褄部地盤改良体４０（図１１、図１２参照）の施工を行なうようになっている。
【００２１】
すなわち、本実施形態では、拡幅トンネル５０を構築するためのトンネルの構築工法は、図３〜図１６に示すように、本線トンネル５１から薬液注入を行って、拡幅トンネル５０が構築される領域の地盤及びこれの周囲の地盤を安定化させる薬液注入工程（図３参照）と、拡幅トンネル５０の施工区間の両側の端部において、本線トンネル５１から下方の地盤に向けて坑内立坑２０を各々築造する立坑築造工程（図４及び図５（ａ）、（ｂ）参照）と、坑内立坑２０から円周シールド掘進機３１を発進させると共に、当該坑内立坑２０に円周シールド掘進機３１を到達させて、パイプルーフ１２及び褄部地盤改良体４０を施工する際の作業坑となる、円周シールド坑３０を各々形成する円周シールド施工工程（図６、図７（ａ）〜（ｃ）参照）と、拡幅トンネル５０の施工区間の一方の端部の円周シールド坑３０から、他方の端部の円周シールド坑３０に向けて、複数のパイプルーフ材１１を地中に押し込むことによって、これらの複数のパイプルーフ材１１を円周方向に並べて連設させた、円筒状のパイプルーフ１２を形成するパイプルーフ施工工程（図８、図９参照）と、各々の円周シールド坑３０の内方の地盤を地盤改良することによって、拡幅トンネル５０の施工区間の両側の端部に褄部地盤改良体４０を各々形成する褄部改良体形成工程（図１１、図１２（ａ）、（ｂ）参照）と、円筒状に形成されたパイプルーフ１２と両側の端部の円周シールド坑３０及び褄部地盤改良体４０とによって周囲を囲まれる内側領域を、上部から下部に向けて掘削すると共に、掘削により露出したパイプルーフ１２の内壁面や褄部地盤改良体４０の内壁面を覆って、上部から下部に向けて順次覆工壁４３ａ，４３ｂを形成する掘削及び覆工工程（図１３〜図１６参照）と、を含んで構成されている。
【００２２】
上述のトンネルの構築工法における薬液注入工程では、図３に示すように、本線トンネル５１からこれの外周部分の地盤に向けて、公知の薬液注入管２６を、本線トンネル５１の周方向及び軸方向に所定の間隔をおいて、多数本挿入する。また、挿入した薬液注入管２６を介して、例えば水ガラス系等の公知の薬液を注入することによって、拡幅トンネル５０（図２参照）が構築される領域の地盤及びこれの周囲の地盤を改良して、これらの地盤を安定化させる。薬液注入工程における、薬液注入管２６の挿入本数、注入する薬液の種類や注入量、注入圧、ゲルタイム等は、対象となる地盤の種類や、地下水位、透水係数、粒度分布、改良範囲等を鑑みて、適宜設計することができる。
【００２３】
なお、本実施形態では、拡幅トンネル５０を構築するための各工程を行うのに先立って、本線トンネル５１の外郭部分を構成する例えばセグメントの内周面に沿って、鋼製の補強リング２７ａを、本線トンネル５１の軸方向に所定の間隔をおいて複数設置することで、セグメント補強支保工２７を形成して、本線トンネル５１を補強しておくことが好ましい。セグメント補強支保工２７は、特に、坑内立坑２０及び褄部地盤改良体４０が形成される、拡幅トンネル５０の施工区間の両側の端部や、こられの端部を挟んで本線トンネル５１の軸方向に隣接する部分に、設置することが好ましい。
【００２４】
立坑築造工程では、図４及び図５（ａ）、（ｂ）に示すように、本線トンネル５１における拡幅トンネル５０の施工区間の両側の端部から、例えば矩形断面を有する鋼製の複数の矩形推進管２１を、公知の密閉型鉛直推進工法によって、各々鉛直下方に推進させることで、これらの矩形推進管２１を縦横に隣接して複数並べて配置した、全体として略六面体形状を有する、坑内立坑２０となる鋼製覆工体２３を形成する。
【００２５】
すなわち、立坑築造工程では、矩形推進管２１の下端部に、矩形断面を有する公知の矩形掘進機２２を取り付けて下方に掘進させながら、この矩形掘進機２２に後続させて矩形推進管２１を連設して下方に押し込んでゆくことで、本線トンネル５１から鉛直下方に向けて、矩形推進管２１を所定の深さまで設置する。このように矩形推進管２１を所定の深さまで設置する作業を、複数の矩形推進管２１を縦横に隣接させつつ複数回繰り返すことによって、これらの複数の矩形推進管２１が平面視矩形状に一体となった、例えば本線トンネル５１の軸方向の長さが１５〜１８ｍ程度、幅方向の長さが８〜１０ｍ程度、鉛直方向の深さが１８ｍ程度の大きさの、六面体形状の鋼製覆工体２３が、本線トンネル５１の下方の地盤に構築される。しかる後に、構築された鋼製覆工体２３における、外周壁２３ａとなる部分によって４方を囲まれる内側領域を仕切って縦横に格子状に配置された、各々の矩形推進管２１による仕切り壁２３ｂの部分を切断撤去する。これによって、複数の矩形掘進機２２を地中に残置したまま（図７（ａ）〜（ｃ）参照）、相当の大きさの作業空間を確保した坑内立坑２０が、仕切り壁２３ｂが撤去された後の鋼製覆工体２３の外周壁２３ａによって周囲を囲まれた状態で、拡幅トンネル５０の施工区間の両側の端部に各々築造される。築造された坑内立坑２０は、円周シールド施工工程における、円周シールド掘進機３１の発進坑及び到達坑として用いられる。
【００２６】
円周シールド施工工程では、図６及び図７（ａ）〜（ｃ）に示すように、築造された各々の坑内立坑２０から、公知の円周シールド掘進機３１を発進させると共に、発進させた円周シールド掘進機３１を同じ坑内立坑２０に到達させることによって、パイプルーフ１２及び褄部地盤改良体４０を施工する際の作業坑となる円周シールド坑３０を、拡幅トンネル５０の施工区間の両側の端部に各々形成する。
【００２７】
本実施形態では、円周シールド掘進機３１は、例えば３〜４．５ｍ程度のシールド高さの矩形断面を備える、好ましくは泥水式の曲率を有する公知のシールド掘進機となっている。円周シールド掘進機３１は、坑内立坑２０に設置した元押しジャッキ３３（図７（ｂ）参照）からの推進力を受けて、矩形断面を有すると共に曲線施工が可能な曲線部覆工セグメント３２を、後方に連設させながら、拡幅トンネル５０の外径よりも一回り大きな直径の円周に沿って、坑内立坑２０に到達するまで掘進することができるようになっている。これによって、曲線部覆工セグメント３３による、円環状に延設する円周シールド坑３０が、後述するパイプルーフ施工工程でパイプルーフ１２が円筒状に形成される、円形の断面に沿って、拡幅トンネル５０の施工区間の両側の端部に各々設けられることになる。
【００２８】
パイプルーフ施工工程では、図８及び図９に示すように、拡幅トンネル５０の施工区間の一方の端部に設けられた円周シールド坑３０から、他方の端部に設けられた円周シールド坑３０に向けて、公知のパイプルーフ掘進工法により、複数のパイプルーフ材１１を掘進させながら地中に押し込んでゆく。これによって、これらの複数のパイプルーフ材１１が円周方向に間隔を置いて並べて埋設されることにより構成される、円筒状のパイプルーフ１２が形成される。
【００２９】
すなわち、本実施形態では、パイプルーフ掘進工法として、高水圧下でも施工が可能な泥水式推進工法を採用し、パイプルーフ材１１として、内部で作業員が作業できる大きさの例えばφ２．０ｍ程度の鋼管を使用して、これらの複数のパイプルーフ材１１を地中に押し込むことによって、地中に構築される拡幅トンネル５０の外周部分の地中に、複数のパイプルーフ材１１を、トンネルの延設方向に延設させて各々埋設する。また、パイプルーフ掘進工法により円周シールド坑３０からパイプルーフ材１１を地中に押し込む作業を、円周シールド坑３０の周方向に所定のピッチで複数回繰り返すことによって、地中に構築される拡幅トンネル５０の外周部分の地盤に、複数のパイプルーフ材１１を、弧状の断面を含む円形の断面に沿った円周方向に、所定の間隔を置いて全周に亘って並べて埋設することが可能になる。またこれによって、弧状の断面を含む円形の断面に沿った円周方向に並べて埋設された複数のパイプルーフ材１１による、拡幅トンネル５０の掘削時に周囲の地盤からの荷重を先受けする、円筒状のパイプルーフ１２を形成することが可能になる。
【００３０】
そして、本実施形態では、上述のパイプルーフ施工工程において、弧状の断面を含む円形の断面に沿って地中に埋設された複数のパイプルーフ材１１は、パイプルーフの連結構造１０により一体として連結されることによって、アーチ効果を発揮することが可能な円筒状のパイプルーフ１２を形成することが可能になる。これによって、拡幅トンネル５０の横断方向（断面方向）に荷重を支持する横断方向の支保工を、複数のパイプルーフ材１１を用いたパイプルーフ１２によって、拡幅トンネル５０の外周部分の地盤に効率良く設けることが可能になる。
【００３１】
すなわち、本実施形態では、パイプルーフの連結構造１０は、地中に構築される拡幅トンネル５０の外周部分の地盤において、図８及び図９に示すように、拡幅トンネル５０の延設方向に延設すると共に、弧状の断面（本実施形態では、弧状の断面を含む円形の断面）に沿った方向に間隔を置いて並べて埋設された、複数のパイプルーフ材１１を互いに連結して、地盤からの荷重を一体として支持できるようにする連結構造であって、図１に示すように、弧状の断面に沿った方向に隣接する各一対のパイプルーフ材１１に、両側の端部を各々固着して、これらのパイプルーフ材１１を互いに接続する連結接続鋼材１３と、隣接する各一対のパイプルーフ材１１の間隔部分に介在して設けられた、耐圧支持地盤体１４とを含んで構成されている。
【００３２】
また、本実施形態では、パイプルーフの連結構造１０によって連結される複数のパイプルーフ材１１は、地中に構築される拡幅トンネル５０の少なくとも上方部分の地盤において、弧状の断面に沿った方向に間隔を置いて並べて埋設されており（図８参照）、本実施形態では、特に、地中に構築される拡幅トンネル５０の外周部分の地盤において、弧状の断面を含む円形の断面に沿った円周方向に、間隔を置いて全周に亘って並べて埋設されている（図９参照）。
【００３３】
さらに、本実施形態では、パイプルーフの連結構造１０を構成する連結接続鋼材１３は、図１に示すように、隣接する各一対のパイプルーフ材１１の間隔部分において、上述の弧状の断面の径方向の内側部分及び外側部分に、２段に取り付けられており、耐圧支持地盤体１４は、これらの２段に配置された一対の連結接続鋼材１３によって挟まれる領域を含んで設けられている。２段に配置された連結接続鋼材１３は、パイプルーフ材１１の延設方向に、３０〜１００ｃｍのピッチで複数取り付けられている。連結接続鋼材１３が、パイプルーフ材１１の延設方向に、３０〜１００ｃｍのピッチで取り付けられていることにより、隣接する各一対のパイプルーフ材１１，１１を強固に連結する引張材として、より効果的に機能することが可能になると共に、隣接する各一対のパイプルーフ材１１，１１の間隔部分に設けられた耐圧支持地盤体１４を、より効果的に拘束することが可能になる。
【００３４】
なお、本実施形態では、パイプルーフの連結構造１０は、パイプルーフ材１１の内部からの作業によって、簡易に形成することが可能である。すなわち、本実施形態では、パイプルーフ材１１は、例えばφ２．０ｍ程度の大きさの鋼管からなり、作業員が立ち入って作業することができるようになっていると共に、連結接続鋼材１３や耐圧支持地盤体１４を施工するのに必要な、各種の資材や機材を、パイプルーフ材１１の内部に搬入できるようになっている。
【００３５】
本実施形態のパイプルーフの連結構造１０を構成する連結接続鋼材１３は、図１０（ａ）及び（ｂ）に示すように、軸方向に貫通して設けられた流体供給路１３ａを備える中空の鋼棒等から形成されており、本実施形態では、好ましくは中空のロックボルトにより形成されている。また、連結接続鋼材１３は、図１０（ｃ）に示すように、流体供給路１３ａから外側に延設して吐出口１３ｅを連結接続鋼材１３の外周面に開口させた吐出流路１３ｂを、軸方向に間隔を置いて複数個所に備えている。本実施形態では、複数の吐出流路１３ｂは、好ましくは放射方向に四方に向けて形成されており、吐出流路１３ｂを流通する液体等は、吐出口１３ｅから四方に向けて吐出されるようになっている。
【００３６】
本実施形態では、連結接続鋼材１３は、隣接する各一対のパイプルーフ材１１，１１に跨って配置することが可能な長さとして、例えば１０００ｍｍ程度の長さを有するように形成されており、複数個所に形成される吐出流路１３ｂは、長さ方向に例えば１００〜３００ｍｍ程度のピッチで複数箇所に形成されている。また、本実施形態では、連結接続鋼材１３は、例えばφ３０ｍｍ程度の太さで形成されており、流体供給路１３ａは、例えばφ１５ｍｍ程度の内径を有するように形成されており、吐出流路１３ｂ及び吐出口１３ｅは、例えばφ８ｍｍ程度の内径を有するように形成されている。
【００３７】
また、本実施形態では、連結接続鋼材１３は、その全長に亘って、例えばＲ３２ｍｍ程度のロープネジ（１１／４”ロープ）が形成されており、これによって、少なくともに両端部分（本実施形態では、全長に亘って）に、雄ねじ突条１３ｆが形成されている。両側の端部の雄ねじ突条１３ｆを、パイプルーフ材１１の内部に設けられた締着台１６に、ナット部材１５を用いて各々締着することによって、連結接続鋼材１３をパイプルーフ材１１に固着することができるようになっている。また、雄ねじ突条１３ｆを介して、連結接続鋼材１３の一方の端部に封止用のキャップ部材（図示せず）を締着することで、流体供給路１３ａの一方の端部の開口を閉塞した状態で、他方の端部の開口から改良地盤材を圧送することにより、改良地盤材を吐出流路１３ｂの吐出口１３ｅから周囲の地盤に向けて噴射させて、注入することができるようになっている。
【００３８】
さらに、本実施形態では、図１０（ｄ）に示すように、連結接続鋼材１３には、吐出口１３ｅを覆う閉塞部材１７として、ビニールテープが、吐出口１３ｅを覆って外周面に巻き付けられている。ビニールテープ１７は、連続接続鋼材１３の穿孔時（自穿孔時）に供給される穿孔水の水圧によっては外れず、地盤改良材を注入する際の供給圧力によって外れる接合強度で、各々の吐出口１３ｅを覆って連結接続鋼材１３の外周面に巻き付けられている。すなわち、閉塞部材１７であるビニールテープ１７は、隣接する一方のパイプルーフ１１から他方のパイプルーフ１１に向けて、先端に取り付けた切削ビット（図示せず）によって地盤を切削しつつ、連結接続鋼材１３の自穿孔によりこれらの間の地盤を穿孔して行く穿孔時に供給される穿孔水の水圧として、例えば０．２〜０．３ＭＰａの水圧では外れず、地盤改良材を注入する際の注入圧力として、例えば０．５〜３．０ＭＰａの注入圧力で外れる接合強度で、各々の吐出口１３ｅを覆って連結接続鋼材１３の外周面に巻き付けられている。
【００３９】
そして、本実施形態では、連結接続鋼材１２に、上述のように、穿孔時に供給される穿孔水の水圧によっては外れず、地盤改良材を注入する際の注入圧力によって外れる接合強度で取り付けられたビニールテープ１７を、各々の吐出口１３ｅを覆って取り付けた状態で、隣接する一方のパイプルーフ材１１から他方のパイプルーフ材１１に向けて、連結接続鋼材１２を自穿孔させて設置する工程と、しかる後に、流体供給路１３ａの一方の端部の開口を閉塞して、他方の端部の開口から地盤改良材を注入することで、注入圧力によってビニールテープ１７を吐出口１３ｅから取り外すと共に、地盤改良材を隣接する一対のパイプルーフ材１１の間隔部分の地盤に行き渡らせて、改良地盤を形成する工程とを含む耐圧支持地盤体の形成方法によって、パイプルーフ１２を構成する隣接する各一対のパイプルーフ材１１の間の地盤に、耐圧支持地盤体１４を容易に形成することが可能になる。
【００４０】
またこれによって、本実施形態のパイプルーフにおける耐圧支持地盤体の形成方法によれば、複数のパイプルーフ材１１を互いに連結して、地盤からの荷重を一体として支持するパイプルーフの連結構造１０を設ける際に、隣接する各一対のパイプルーフ材１１の間隔部分の地盤を地盤改良して、所定の圧縮強度を有する改良地盤による耐圧支持地盤体１４を、より簡易に形成することが可能になる。
【００４１】
なお、本実施形態の耐圧支持地盤体の形成方法によって形成された耐圧支持地盤体１４は、地中に埋設された複数のパイプルーフ材１１における、隣接する各一対のパイプルーフ材１１の間隔部分に介在して設けられた、圧縮材として機能する間詰地盤体として扱うことができる。耐圧支持地盤体１４は、複数のパイプルーフ材１１による円筒状のパイプルーフ１２が地中に形成された後に、これの内側部分を掘削して周囲の地盤からの荷重を受けることでパイプルーフ１２がアーチ効果を発揮する際に、パイプルーフ１２の周方向に沿って隣接する各一対のパイプルーフ材１１の間隔部分に生じる圧縮力を、効果的に支持できる程度の圧縮耐力として、例えば２Ｎ／ｍｍ2程度の圧縮強度を備えるように形成されている。
【００４２】
また、上述のようにして、パイプルーフの連結構造１０により隣接する各一対のパイプルーフ材１１を一体として連結する作業は、パイプルーフ施工工程において、周方向に間隔をおいて順次地中に押し込まれる複数のパイプルーフ材１１のうちの、何本かのパイプルーフ材１１が先行して埋設された段階で、後続するパイプルーフ材１１を、一方の円周シールド坑３０から他方の円周シールド坑３０に向けて順次地中に押し込んでゆく作業と同時に、又は並行して、実施することができる。また、本実施形態のパイプルーフの連結構造１０により隣接する各一対のパイプルーフ材１１を一体として連結する作業は、後続して施工される褄部改良体形成工程と同時に、又は並行して実施することもできる。これらによって、工期が遅れることになるのを、効果的に抑制することが可能になる。
【００４３】
上述のトンネルの構築工法における褄部改良体形成工程では、図１１及び図１２（ａ）、（ｂ）に示すように、各々の円周シールド坑３０の内方の地盤を地盤改良することによって、拡幅トンネル５０の施工区間の両側の端部に、褄部地盤改良体４０を形成する。すなわち、褄部改良体形成工程では、拡幅トンネル５０の施工区間の両側の端部における、各々の円周シールド坑３０の内部や、これに近接する部分のパイプルーフ材１１の内部からの作業によって、例えば各円周シールド坑３０の上部から下部に向けて、公知の地盤改良器４２を用いた、好ましくは高圧噴射撹拌工法による地盤改良を行うことで、円柱形状の単位改良体４１を、円周シールド坑３０によって囲まれるこれの径方向内方の地盤に形成する。また、円周シールド坑３０の内方の地盤に対して、このような高圧噴射撹拌工法による地盤改良を複数回繰り返すことによって、複数の円柱形状の単位改良体４１が、その外周部分を重ね合わせつつ縦横に並べて配置されることで一体として形成された、褄部地盤改良体４０(図１２（ａ）、（ｂ）参照）が、拡幅トンネル５０の施工区間の両側の端部に、円周シールド坑３０と本線トンネル５１との間の間隔部分を閉塞するようにして、各々の円周シールド坑３０の内方に構築されることになる。
【００４４】
これによって、拡幅トンネル５０の施工区間の掘削領域が、円筒状に形成されたパイプルーフ１２と、両側の端部の円周シールド坑３０及び褄部地盤改良体４０とによって、周囲を囲まれた状態になるので、これらのパイプルーフ１２や褄部地盤改良体４０に外周の地盤からの荷重を支持させつつ、掘削及び覆工工程において、これらの内側領域を、安定した状態で掘削してゆくことが可能になる。
【００４５】
掘削及び覆工工程では、図１３〜図１６に示すように、円筒状に形成されたパイプルーフ１２と、両側の端部の円周シールド坑３０及び褄部地盤改良体４０とによって周囲を囲まれる内側領域を、上部から下部に向けて掘削すると共に、掘削により露出したパイプルーフ１２の内壁面や褄部地盤改良体４０の内壁面を覆って、上部から下部に向けて、いわゆる逆巻き工法によって、順次覆工壁４３ａ，４３ｂを形成してゆく。
【００４６】
すなわち、掘削及び覆工工程では、掘削機械４４として例えばバックホウやブルドーザーを用いて、パイプルーフ１２の内側の掘削領域の上段部から下段部に向けて、拡幅トンネル５０の掘削作業を順次行うと共に、上段部から下段部に向けて、掘削により露出したパイプルーフ１２の内壁面や褄部地盤改良体４０の内壁面を覆うようにして、例えばＳＲＣ構造やＲＣ構造による円筒部の覆工壁４３ａ（図１５参照）や、褄部の覆工壁４３ｂ（図１６参照）を順次構築して行く。なお、覆工壁４３ａ，４３ｂは、褄部地盤改良体４０によって周囲を囲まれる内側領域の掘削断面の全体を掘削した後に、下部から上部に向けて、いわゆる順巻き工法によって、順次形成してゆくこともできる。
【００４７】
ここで、拡幅トンネル５０の掘削作業では、パイプルーフ１２を構成するパイプルーフ材１１の大きな剛性による、トンネルの延設方向の先受け支保工としての機能によって、地山の安定性を向上させると共に、地山の変形を抑制しつつ、トンネルの延設方向に掘削作業をさらに効率良く行ってゆくことが可能になる。また、本実施形態では、パイプルーフの連結構造１０によって、隣接する各一対のパイプルーフ材１１が一体として連結されているので、パイプルーフ１２をトンネルの横断方向（断面方向）の支保工として機能させることが可能になる。これによって、例えば拡幅トンネル５０の掘削作業に伴って円筒状のパイプルーフ１２の内部に設置される、支保工の数や設計強度を削減したり、支保工を省略したりすることが可能になる。
【００４８】
拡幅トンネル５０の上段部の掘削作業では、作業空間から本線トンネル５１に至る土砂排出管５３（図１３参照）を、例えば本線トンネル５１からの鋼管推進によって設置しておき、この土砂排出管５３に掘削土砂を投入することによって、本線トンネル５１を介して掘削土砂を搬出することができる。掘削領域の上段部から下段部に向けた掘削作業の進行に伴って露出する本線トンネル５１は、例えば破砕機械を用いて破砕して、掘削土砂と共に撤去することができる（図１５参照）。
【００４９】
また、円筒部の覆工壁４３ａを構築する作業では、例えば掘削により露出したパイプルーフ１２の、隣接する各一対のパイプルーフ材１１の内側面に跨るようにして、溶接等により止水鉄板４６を取り付けると共に、止水鉄板４６の裏側に裏込め充填材４７を充填して固化させる（図１参照）。しかる後に、止水鉄板４６の内側部分に鉄骨や鉄筋や型枠等を組み立てて、コンクリートを打設することにより、いわゆる逆巻き工法によって、上段部から下段部に向けて、ＳＲＣ（鉄骨鉄筋コンクリート）構造やＲＣ（鉄筋コンクリート）構造による円筒部の覆工壁４３ａを構築してゆくことが可能になる。
【００５０】
さらに、褄部の覆工壁４３ｂを構築する作業では、例えば掘削により露出した褄部地盤改良体４０の内壁面に対して、好ましくは吹付コンクリート４８を吹き付けると共に、褄部地盤改良体４０に向けて複数のロックボルト４９を打ち込むことで、当該内壁面を補強する（図１６参照）。しかる後に、補強された褄部地盤改良体４０の内側面を覆って防水シートをさらに取り付けた状態で、これの内側部分に鉄骨や鉄筋や型枠等を組み立てて、コンクリートを打設することにより、いわゆる逆巻き工法によって、上段部から下段部に向けて、ＳＲＣ（鉄骨鉄筋コンクリート）構造やＲＣ（鉄筋コンクリート）構造による褄部の覆工壁４３ｂを構築してゆくことが可能になる。
【００５１】
これらによって、円筒部の覆工壁４３ａ及び両側の褄部の覆工壁４３ｂにより周囲を囲まれた、本線トンネル５１とランプトンネル５２とを接続させるための、大断面の拡幅トンネル５０（図２参照）を、区分地上権が不要な大深度地下に構築してゆくことが可能になる。また、構築された拡幅トンネル５０にランプトンネル５２を接続させると共に、インターチェンジの本体構造物を構築することにより、例えば道路用の本線トンネル５１とランプトンネル５２とを接続させるためのインターチェンジを、拡幅トンネル５０の内部に設けることが可能になる。
【００５２】
そして、本実施形態によれば、上述の構成を備えるパイプルーフの連結構造１０によって、地中に埋設された複数のパイプルーフ材１１によるアーチ効果を発揮することが可能なトンネルの横断方向の支保工を、地盤改良材の使用量を抑制しつつ、簡易な施工方法によって、拡幅トンネル５０の外周部分の地盤に効率良く形成すること可能になる。
【００５３】
すなわち、上述の構成を備えるパイプルーフの連結構造１０によれば、弧状の断面に沿った方向に隣接する各一対のパイプルーフ材１１に、両側の端部１３ａを各々固着して、これらのパイプルーフ材１１を互いに接続する連結接続鋼材１３と、隣接する各一対のパイプルーフ材１１の間隔部分に介在して設けられた、耐圧支持地盤体１４とを含んで構成されているので、引張材として機能し、且つ耐圧支持地盤体１４を拘束する連結接続鋼材１３と、圧縮材として機能する、所望の圧縮強度を備える耐圧支持地盤体１４とによる相乗効果によって、隣接する各一対のパイプルーフ材１１が一体として弧状に連続することによるアーチ効果を、安定した状態でパイプルーフ１２に発揮させることが可能になる。これによって、周囲の地盤からの荷重を支持する拡幅トンネル５０の横断方向の支保工を、これらの複数のパイプルーフ材１１が周方向に一体となった円筒状のパイプルーフ１２によって、効率良く強固に形成することが可能になる。また、所望の圧縮強度を備える耐圧支持地盤体１４は、隣接する各一対のパイプルーフ材１１の間隔部分にのみ設ければ良いので、地盤改良材の使用量を抑制したり、不要にしつつ、簡易な施工方法によって、横断方向の支保工を、拡幅トンネル５０の外周部分の地盤に効率良く形成すること可能になる。
【００５４】
なお、本発明は上記実施形態に限定されることなく種々の変更が可能である。例えば、本発明の耐圧支持地盤体の形成方法を採用して形成されるパイプルーフの連結構造を用いたパイプルーフは、大深度地下に構築されるトンネルの外周部分の地盤に設けられる必要は必ずしもなく、浅い部分の地中に構築されるトンネルや、トンネル以外の地中構造物の外周部分の地盤に設けられるものであっても良い。また、パイプルーフを構成する複数のパイプルーフ材は、円形の断面に沿った円周方向に、間隔を置いて全周に亘って並べて埋設される必要は必ずしも無く、少なくとも弧状の断面に沿った方向に間隔を置いて並べて埋設されていてれば良い。連結接続鋼材に形成された吐出流路の吐出口を覆って取り付けられる閉塞部材は、連結接続鋼材の外周面に巻き付けられるビニールテープである必要は必ずしも無く、例えば吐出口を閉塞して嵌め込むようにして取り付けられる栓部材等の、その他の種々の閉塞部材であっても良い。
【符号の説明】
【００５５】
１０  パイプルーフの連結構造
１１  パイプルーフ材
１２  パイプルーフ
１３  連結接続鋼材
１３ａ  流体供給路
１３ｂ  吐出流路
１３ｅ  吐出口
１３ｆ  雄ネジ突条
１４  耐圧支持地盤体
１５  ナット部材
１６  締着台
１７  閉塞部材（ビニールテープ）
２０  坑内立坑
２１  矩形推進管
２２  矩形掘進機
２３  鋼製覆工体
２３ａ  外周壁
２６  薬液注入管
２７  セグメント補強支保工
３０  円周シールド坑
３１  円周シールド掘進機
３２  曲線部覆工セグメント
３３  元押しジャッキ
４０  褄部地盤改良体
４１  単位改良体
４３ａ  円筒部の覆工壁
４３ｂ  褄部の覆工壁
４６  止水鉄板
４７  裏込め充填材
４８  吹付コンクリート
４９  ロックボルト
５０  拡幅トンネル
５１  本線トンネル
５２  ランプトンネル
【図１】
0006560105.tif 000002
【図２】
0006560105.tif 000003
【図３】
0006560105.tif 000004
【図４】
0006560105.tif 000005
【図５】
0006560105.tif 000006
【図６】
0006560105.tif 000007
【図７】
0006560105.tif 000008
【図８】
0006560105.tif 000009
【図９】
0006560105.tif 000010
【図１０】
0006560105.tif 000011
【図１１】
0006560105.tif 000012
【図１２】
0006560105.tif 000013
【図１３】
0006560105.tif 000014
【図１４】
0006560105.tif 000015
【図１５】
0006560105.tif 000016
【図１６】
0006560105.tif 000017